(57)【要約】【課題】ＣＡＴＶシステムの上り伝送においてＯＢＩの発生が無く、下り伝送においてはＢＳ−ＩＦ・ＣＳ−ＩＦ帯域周波数のパススルー伝送を可能とする。【解決手段】ＣＡＴＶセンター局から光ノード装置まで第１の光ファイバー伝送路を敷設し、該光ノード装置から加入者宅までを同軸ケーブル伝送路で接続するＨＦＣ方式のシステムに加えて、ＣＡＴＶセンター局から加入者宅まで第２の光ファイバー伝送路を敷設する。同軸ケーブル伝送路と第２の光ファイバー伝送路とをそれぞれ収容し、ＣＡＴＶセンター局から送信される下り光信号を第２の光ファイバー伝送路から受信して光／電気変換して下り電気信号として加入者宅内の設置機器に出力し、加入者宅内の設置機器から送信される上り電気信号を同軸ケーブル伝送路に出力する加入者光受信装置を加入者宅内に設置する。【選択図】      図１
2016025589.tif 000002
【特許請求の範囲】
【請求項１】
ＣＡＴＶセンター局から敷設された第１の光ファイバー伝送路を収容する光ノード装置と、
加入者宅内に設置され、前記光ノード装置から下流側に向かって該加入者宅まで敷設された同軸ケーブル伝送路と前記ＣＡＴＶセンター局から該加入者宅まで敷設された第２の光ファイバー伝送路とをそれぞれ収容し、前記ＣＡＴＶセンター局から送信される下り光信号を前記第２の光ファイバー伝送路から受信して光／電気変換して下り電気信号として前記加入者宅内の設置機器に出力し、前記加入者宅内の設置機器から送信される上り電気信号を前記同軸ケーブル伝送路に出力する加入者光受信装置と、
を備え、
前記光ノード装置は、前記同軸ケーブル伝送路から受信した上り電気信号を、電気／光変換して前記第１の光ファイバー伝送路を介して前記ＣＡＴＶセンター局に送信することを特徴とするＣＡＴＶシステム。
【請求項２】
前記加入者受信装置は、前記上り電気信号の周波数帯域と前記下り電気信号周波数帯域を分割し、分波および結合する帯域フィルタ手段を含む
ことを特徴とする請求項１に記載のＣＡＴＶシステム。
【請求項３】
前記加入者受信装置の前記帯域フィルタ手段は、前記下り電気信号に相当する帯域の信号を前記加入者宅内の設置機器に出力し、前記上り電気信号に相当する帯域の信号を前記同軸ケーブル伝送路に出力する分岐器である
ことを特徴とする請求項２に記載のＣＡＴＶシステム。
【請求項４】
ＣＡＴＶセンター局から敷設された第１の光ファイバー伝送路を収容する光ノード装置から下流側に向かって加入者宅まで敷設された同軸ケーブル伝送路を接続する第１の同軸端子と、
前記ＣＡＴＶセンター局から敷設された第２の光ファイバー伝送路を接続する光端子と、
加入者宅内の設置機器を接続する第２の同軸端子と、
前記光端子に接続された前記第２の光ファイバー伝送路から入力する光信号を下り電気信号に変換する光／電気変換手段と、
前記第２の同軸端子から入力する上り電気信号の周波数帯域と前記光／電気変換手段が変換した下り電気信号の周波数帯域を分割し、分波および結合する帯域フィルタ手段と、
を備え、
前記光端子から入力する下り伝送信号は前記光／電気変換手段、前記帯域フィルタ手段および前記第２の同軸端子を介して前記加入者宅内の設置機器に出力し、前記第２の同軸端子から入力する上り伝送信号は前記帯域フィルタ手段および前記第１の同軸端子を介して前記同軸ケーブル伝送路に出力する
ことを特徴とする加入者光受信装置。
【請求項５】
前記帯域フィルタ手段は、前記光／電気変換手段から入力する前記下り電気信号に相当する帯域の信号を前記第２の同軸端子に出力し、前記第２の同軸端子から入力する前記上り電気信号に相当する帯域の信号を前記第１の同軸端子に出力する分岐器である
ことを特徴とする請求項４に記載の加入者光受信装置。
【発明の詳細な説明】
【技術分野】
【０００１】
本発明は、ＣＡＴＶ（ケーブルテレビ）システムおよび加入者光受信装置に関し、特に、下り伝送回線に光ファイバーを用いたＣＡＴＶシステムおよび加入者光受信装置に関する。
【背景技術】
【０００２】
ＣＡＴＶシステムでは、ＣＡＴＶセンター局から伝送路の幹線部分を光ファイバーで配線し、幹線から各加入者までの支線部分を同軸ケーブルで配線するＨＦＣと呼ばれる配線方式が一般的に用いられている。なお、ＨＦＣは「Hybrid Fiber-Coaxial」の略称である。また、ＨＦＣ方式では、光ファイバーと同軸ケーブルを、光信号と電気信号を相互に変換する光ノード装置を用いて接続する。ＨＦＣ方式によるＣＡＴＶシステムの構成例を図５に示す。
【０００３】
また、ＨＦＣ方式に代わる次世代システムとして、ＧＥ-ＰＯＮ（Gigabit Ethernet-Passive Optical Network）方式によるＦＴＴＨシステムが検討されている（Ethernetは登録商標）。ＧＥ-ＰＯＮは増幅器などの能動部品を使わずに１Ｇｂｐｓの高速通信光ネットワークを提供する。なお、ＦＴＴＨは「Fiber To The Home」の略称で、光ファイバーを伝送路として一般家庭に引き込むアクセス系の網構成のことである。ＧＥ-ＰＯＮ方式によるＦＴＴＨシステムの構成例を図６に示す。
【０００４】
しかし、このＧＥ-ＰＯＮ方式は、伝送路を光ファイバー化することが必須であって、ＣＡＴＶセンター局設備および加入者設備を全て変更する必要があり、莫大な投資が必要となることからあまり普及していない。
【０００５】
さらに、ＧＥ-ＰＯＮ方式のＦＴＴＨシステムよりもコストを抑えた、ＲＦ（Radio Frequency：高周波）信号を用いた光ネットワークであるＲＦｏＧ（Radio Frequency over Glass）方式のＦＴＴＨシステムが検討されている。ＲＦｏＧ方式のＦＴＴＨシステムは、ＣＡＴＶセンター局から加入者宅へ伝送する下りのＲＦ信号と、加入者宅からＣＡＴＶセンター局へ伝送する上りのＲＦ信号にそれぞれ異なる光波長を使用し、波長多重してＲＦ信号を光ファイバーに乗せて伝送する。ＲＦｏＧ方式によるＦＴＴＨシステムの構成例を図７に示す。
【０００６】
ＲＦｏＧ方式のＦＴＴＨシステムは、加入者宅にＲＦｏＧ方式用の光受信端末であるＲ−ＯＮＵ（RFoG-Optical Network Unit）を設置し、加入者宅までのすべての伝送路を光ファイバー化する。その一方で、ＨＦＣ方式で利用していたＤＯＣＳＩＳ準拠の設備を流用する。なお、ＤＯＣＳＩＳは、ＣＡＴＶ回線を利用して高速なデータ通信を行うための規格である「Data Over Cable Service Interface Specifications」の略称である。
【０００７】
ＲＦｏＧ方式のＦＴＴＨシステムは、ＨＦＣ方式に対して、ＣＡＴＶセンター局から加入者宅に向かう下り伝送帯域が拡張でき、伝送路に能動装置がないため維持・管理が容易であって、ＤＯＣＳＩＳ準拠の設備流用による低投資コスト、といった特長がある。
【０００８】
ＲＦｏＧ方式のＦＴＴＨシステムでは、加入者宅からＣＡＴＶセンター局に向かう上り伝送において、加入者宅から送信された上り光信号が光スプリッタ部で結合される。光スプリッタ部は、幹線からの光ファイバーと各加入者宅に引き込むための支線の光ファイバーを分岐／結合する装置である。そして、同じ光波長帯の上り光信号が各加入者で利用されているため、複数の加入者宅より上り信号が同時に送信されると、光スプリッタ部で光信号の衝突による干渉が発生し、通信エラーを起こす場合がある。この干渉はＯＢＩ（Optical Beat Interference）と呼ばれる。
【０００９】
ＲＦｏＧ方式のＦＴＴＨシステムの上り信号は、ＤＯＣＳＩＳ準拠の設備による制御に依存して送信される。そして、ＣＡＴＶセンター局に設置される集合型のケーブルモデム装置であるＣＭＴＳ（Cable Modem Termination System）により、各加入者の上り電気信号の送信タイミングが時間的に重ならないように制御されている。ＣＭＴＳは加入者宅内に設置される電話用データ通信接続装置のＥＭＴＡ（embedded Multimedia Terminal Adapter）、データ通信接続装置のＣＭ（Cable Modem）、デジタルテレビ放送用信号変換装置のＳＴＢ（Set Top Box）の制御装置として位置づけられる。
【００１０】
また、ＲＦｏＧ方式のＦＴＴＨシステムの上り伝送では、ＯＢＩを回避するために、通常は発光しない状態で待機し、上り電気信号の送信が発生した時にだけ、上り光信号をバースト的に発光する方式を取っている。
【００１１】
ＣＡＴＶシステムに関する発明が特許文献１乃至特許文献３に開示されている。
【００１２】
特許文献１は、ＨＦＣ方式のＣＡＴＶシステムにおいて、ＢＳ（Broadcast Satellite）／ＣＳ（Communication Satellite）デジタル放送をＢＳ−ＩＦ（中間周波数）／ＣＳ−ＩＦ帯域周波数によるパススルー方式で伝送可能な技術を開示する。
【００１３】
特許文献１が開示する技術は、既設のシステムとは別に新たに光ファイバーによる伝送路を設けて、その伝送路を介してＢＳ−ＩＦ／ＣＳ−ＩＦ（以降、ＢＳ／ＣＳ−ＩＦと称す。）帯域周波数を伝送する。そして、保安器を拡張保安器に置き換え、該拡張保安器によりＢＳ／ＣＳ−ＩＦ帯域周波数を増幅して、既存の同軸ケーブル伝送路をその伝送に用いる。
【００１４】
特許文献２は、既存のシステムを利用して、低コストで通信品質の向上ができるＨＦＣ方式のＣＡＴＶシステムを開示する。
【００１５】
特許文献２が開示する技術は、下り光伝送路および上り光伝送路若しくは何れか一方の伝送路に波長分割多重化装置を備えた端子函（クロージャー）を介設し、ＣＡＴＶセンターとクロージャーとの間を波長分割多重された光信号を伝送する。これは、既設のＨＦＣ方式の光ファイバーを利用することで、新たに光ファイバーを増設することなくノードの細分化を行うことができる。
【００１６】
特許文献３は、加入者側の建造物に配線された同軸伝送路をそのまま利用して、高速な通信サービスを実現することができるＨＦＣ方式のＣＡＴＶシステムを開示する。
【００１７】
特許文献３が開示する技術は、インターネット専用の光伝送路を別途設け、その光伝送路の末端を、同軸ケーブルを分岐するためのタップスイッチに接続する。そして、このタップスイッチ内に、インターネット専用の光伝送路を伝送するデータを、各加入者側と通信可能で上り信号および下り信号とは周波数が異なる高周波信号に双方向に変換するためのスイッチングハブ、およびＲＦモデムを設ける。このような構成により、加入者側の同軸ケーブルを介して高速なデータ通信が行える。
【先行技術文献】
【特許文献】
【００１８】
【特許文献１】特開2012-217008号公報
【特許文献２】特開2005-236410号公報
【特許文献３】特開2004-289798号公報
【発明の概要】
【発明が解決しようとする課題】
【００１９】
上述したＲＦｏＧ方式のＦＴＴＨシステムには、主に２つの課題がある。
【００２０】
１つはＯＢＩ発生が完全に回避できないことである。
【００２１】
ＯＢＩ発生が完全に回避できない理由は次のとおりである。
【００２２】
ＣＡＴＶ事業者は、一般的に、デジタルテレビ放送用信号変換装置のＳＴＢ、電話用データ通信接続装置のＥＭＴＡ、データ通信接続装置のＣＭの用途に応じた複数のＣＭＴＳを利用している。そして、各ＣＭＴＳの制御動作が独立しているため、上り信号の送信タイミングも独立している。そのため、上り信号の送信タイミングが重なる場合があり、このときは複数の加入者宅から同時に上り信号が送信されてＯＢＩ発生となる可能性がある。
【００２３】
なお、ＤＯＣＳＩＳ3.0規格の場合、周波数軸上で分割された複数の信号チャンネルを利用することで、同時に複数の端末から上り信号を送信できる技術を用いている。これにより通信速度を向上させている。しかし、光スプリッタ部の結合により、電気信号の周波数上で干渉しない信号でも、光信号上では干渉するため、ＯＢＩが発生する場合がある。
【００２４】
２つ目の課題は、加入者宅までのすべての伝送路を光ファイバー化するために、加入者宅内にＲＦｏＧ方式用の光受信端末であるＲ−ＯＮＵを設置する必要があることである。ＲＦｏＧ方式のＦＴＴＨシステムでは上り方向の伝送にも光信号を用いるため、図８にＲ−ＯＮＵの構成例を示すように、Ｅ（電気）／Ｏ（光）変換機能が必要となる。そのため、レーザーダイオードのような能動素子を用いて加入者宅内装置の価格が非常に高額になってしまう。
【００２５】
上述した２つの課題に起因して、ＲＦｏＧ方式のＦＴＴＨシステムの普及が妨げられている。
【００２６】
また、特許文献１および３が開示する発明は、ＨＦＣ方式のＣＡＴＶシステムであって、新たに光ファイバーによる伝送路を設けて高速で広帯域なデータ通信を可能とするものである。しかし、加入者宅に引き込まれるのは従来の同軸ケーブルであって、新たに設置する光ファイバーではない。そのため、下り方向の伝送においても高周波帯域の通過損失が大きい同軸ケーブルを使うための構成を必要としている。
【００２７】
特許文献２が開示する発明は、既存のシステムを利用して低コストで通信品質の向上を図ることを目的としており、高速で広帯域なデータ通信を可能にする技術ではない。
【００２８】
本発明の目的は、ＣＡＴＶシステムの上り伝送においてＯＢＩの発生が無く、下り伝送においてはＢＳ／ＣＳ−ＩＦ帯域周波数のパススルー伝送を可能としたＣＡＴＶシステムおよび加入者光受信装置を提供することにある。
【課題を解決するための手段】
【００２９】
上記の目的を実現するために、本発明の一形態であるＣＡＴＶシステムは、ＣＡＴＶセンター局から敷設された第１の光ファイバー伝送路を収容する光ノード装置と、加入者宅内に設置され、前記光ノード装置から下流側に向かって該加入者宅まで敷設された同軸ケーブル伝送路と前記ＣＡＴＶセンター局から該加入者宅まで敷設された第２の光ファイバー伝送路とをそれぞれ収容し、前記ＣＡＴＶセンター局から送信される下り光信号を前記第２の光ファイバー伝送路から受信して光／電気変換して下り電気信号として前記加入者宅内の設置機器に出力し、前記加入者宅内の設置機器から送信される上り電気信号を前記同軸ケーブル伝送路に出力する加入者光受信装置と、を含み、前記光ノード装置は、前記同軸ケーブル伝送路から受信した上り電気信号を、電気／光変換して前記第１の光ファイバー伝送路を介して前記ＣＡＴＶセンター局に送信することを特徴とする。
【００３０】
また、本発明の他の形態である加入者光受信装置は、ＣＡＴＶセンター局から敷設された第１の光ファイバー伝送路を収容する光ノード装置から下流側に向かって加入者宅まで敷設された同軸ケーブル伝送路を接続する第１の同軸端子と、前記ＣＡＴＶセンター局から敷設された第２の光ファイバー伝送路を接続する光端子と、加入者宅内の設置機器を接続する第２の同軸端子と、前記光端子に接続された前記第２の光ファイバー伝送路から入力する光信号を下り電気信号に変換する光／電気変換手段と、前記第２の同軸端子から入力する上り電気信号の周波数帯域と前記光／電気変換手段が変換した下り電気信号の周波数帯域を分割し、分波および結合する帯域フィルタ手段と、を備え、前記光端子から入力する下り伝送信号は前記光／電気変換手段、前記帯域フィルタ手段および前記第２の同軸端子を介して前記加入者宅内の設置機器に出力し、前記第２の同軸端子から入力する上り伝送信号は前記帯域フィルタ手段および前記第１の同軸端子を介して前記同軸ケーブル伝送路に出力することを特徴とする。
【発明の効果】
【００３１】
本発明は、ＣＡＴＶシステムの上り伝送においてＯＢＩの発生が無く、下り伝送においてはＢＳ／ＣＳ−ＩＦ帯域周波数のパススルー伝送を可能とすることができる。
【図面の簡単な説明】
【００３２】
【図１】本発明の第１の実施形態のＣＡＴＶシステムの構成を示すブロック図である。
【図２】本発明の第１の実施形態の加入者光受信装置の構成を示すブロック図である。
【図３】本発明の第２の実施形態のＣＡＴＶシステムの構成を示すブロック図である。
【図４】本発明の第２の実施形態の上りバイパス型光受信機の構成を示すブロック図である。
【図５】ＨＦＣ方式によるＣＡＴＶシステムの構成例を示すブロック図である。
【図６】ＧＥ-ＰＯＮ方式によるＦＴＴＨシステムの構成例を示すブロック図である。
【図７】ＲＦｏＧ方式によるＦＴＴＨシステムの構成例を示すブロック図である。
【図８】ＲＦｏＧ方式によるＦＴＴＨシステムで加入者宅内に設置するＲ−ＯＮＵの構成例を示すブロック図である。
【発明を実施するための形態】
【００３３】
本発明を実施するための形態について図面を参照して説明する。
【００３４】
図１は、本発明の第１の実施形態のＣＡＴＶシステムの構成を示すブロック図である。
【００３５】
尚、実施の形態は例示であり、開示のシステム及び装置は、以下の実施の形態の構成には限定されない。
【００３６】
第１の実施形態のＣＡＴＶシステム１００は、主要な構成要素として光ノード装置３および加入者光受信装置１を含んで構成される。
【００３７】
光ノード装置３は、ＣＡＴＶセンター局２から敷設された第１の光ファイバー伝送路１１を収容する。
【００３８】
加入者光受信装置１は、加入者宅内に設置され、光ノード装置３から下流側に向かって該加入者宅まで敷設された同軸ケーブル伝送路１３とＣＡＴＶセンター局２から該加入者宅まで敷設された第２の光ファイバー伝送路１２とをそれぞれ収容する。
【００３９】
加入者光受信装置１は、ＣＡＴＶセンター局２から送信される下り光信号を第２の光ファイバー伝送路１２から受信して光／電気変換して下り電気信号として加入者宅内の設置機器４に出力する。そして、加入者光受信装置１は、加入者宅内の設置機器４から送信される上り電気信号を同軸ケーブル伝送路１３に出力する。
【００４０】
同軸ケーブル伝送路１３に出力された上り電気信号は光ノード装置３で受信される。そして、光ノード装置３は、同軸ケーブル伝送路１３から受信した該上り電気信号を、電気／光変換して第１の光ファイバー伝送路を介してＣＡＴＶセンター局２に送信する。
【００４１】
上記のように、第１の実施形態のＣＡＴＶシステム１００は、下り信号の伝送には直接加入者宅に引き込んだ第２の光ファイバー伝送路１２を使用する。そして、上り信号の伝送には同軸ケーブル伝送路１３を使用して光ノード装置３まで電気信号を用いる。光ノード装置３で電気／光変換を行って、第１の光ファイバー伝送路１１を使用してＣＡＴＶセンター局２に上り光信号を伝送する。
【００４２】
同軸ケーブル伝送路１３、光ノード装置３、第１の光ファイバー伝送路１１は、ＨＦＣ方式の伝送システムである。したがって、上り信号の伝送に当たってはＯＢＩの発生を排除することができる。
【００４３】
また、第２の光ファイバー伝送路１２を下り信号の伝送に使用することにより、同軸ケーブルでは信号レベル減衰が大きいＢＳ／ＣＳ−ＩＦ帯域周波数のパススルー伝送を可能とすることができる。
【００４４】
図２は、本発明の第１の実施形態の加入者光受信装置の構成を示すブロック図である。
【００４５】
第１の実施形態の加入者光受信装置１は、第１の同軸端子２２、光端子２１、第２の同軸端子２３、光／電気変換手段２４および帯域フィルタ手段２５を含んで構成される。
【００４６】
第１の同軸端子２２には、ＣＡＴＶセンター局から敷設された第１の光ファイバー伝送路を収容する光ノード装置から下流側に向かって加入者宅まで敷設された同軸ケーブル伝送路を接続する。
【００４７】
光端子２１には、ＣＡＴＶセンター局から敷設された第２の光ファイバー伝送路を接続する。
【００４８】
第２の同軸端子２３には、加入者宅内の設置機器を接続する。
【００４９】
光／電気変換手段２４は、光端子２１に接続された第２の光ファイバー伝送路から入力する光信号を下り電気信号に変換する。
【００５０】
帯域フィルタ手段２５は、第２の同軸端子２３から入力する上り電気信号の周波数帯域と光／電気変換手段２４が変換した下り電気信号の周波数帯域を分割し、分波および結合する。
【００５１】
光端子２１から入力する下り伝送信号は光／電気変換手段２４、帯域フィルタ手段２５および第２の同軸端子２３を介して加入者宅内の設置機器に出力する。そして、第２の同軸端子２３から入力する上り伝送信号は帯域フィルタ手段２５および第１の同軸端子２２を介して同軸ケーブル伝送路に出力する。
【００５２】
上記のように構成した第１の実施形態の加入者光受信装置１は、第２の光ファイバー伝送路１２を直接引き込んで、下り信号の伝送帯域を、ＣＡＴＶ帯の信号に加えてＢＳ／ＣＳ−ＩＦ帯の信号の伝送も可能なように拡張することができる。そのため、同軸ケーブルでは信号レベル減衰が大きいＢＳ／ＣＳ−ＩＦ帯域周波数のパススルー伝送を可能とすることができる。
【００５３】
また、第１の同軸端子から出力する上り信号に対しては、同軸ケーブル伝送路、光ノード装置、第１の光ファイバー伝送路を介してＣＡＴＶセンター局に伝達するＨＦＣ方式の伝送システムが使用される。したがって、上り信号の伝送に当たってはＯＢＩの発生を排除することができる。
【００５４】
さらに、第１の実施形態の加入者光受信装置１は、光／電気変換手段２４のような受動素子で構成され、電気／光変換で使用するレーザーダイオードのような能動素子は使用しない。そのため、安価で加入者光受信装置１を提供することができる。
【００５５】
次に、第２の実施形態を説明する。
【００５６】
図３は、本発明の第２の実施形態のＣＡＴＶシステムの構成を示すブロック図である。
【００５７】
第２の実施形態のＣＡＴＶシステム２００は、加入者宅２０とＣＡＴＶセンター局３０を２系統の伝送路で接続する。
【００５８】
第１の系統は、ＣＡＴＶセンター局３０から光ノード装置４０、双方向増幅器５０および分配器６０を介して加入者宅２０に接続する伝送路である。
【００５９】
第１の系統の伝送路は、ＣＡＴＶセンター局３０から幹線となる光ファイバー伝送路を光ノード装置４０まで敷設し、光ノード装置４０から下流方向は同軸ケーブル伝送路が敷設される。つまり、第１の系統の伝送路は、ＨＦＣ方式によるＣＡＴＶシステムとなっている。
【００６０】
第２の系統は、ＣＡＴＶセンター局３０から光スプリッタ７０を介して加入者宅２０に接続する伝送路である。
【００６１】
第２の系統の伝送路は、ＣＡＴＶセンター局３０から幹線となる光ファイバー伝送路を光スプリッタ７０まで敷設し、光スプリッタ７０から加入者宅２０まで支線となる光ファイバー伝送路を敷設する。つまり、第２の系統の伝送路はＦＴＴＨの形態となっている。
【００６２】
そして、第２の実施形態のＣＡＴＶシステム２００では、加入者宅２０からＣＡＴＶセンター局３０に伝送される上り信号は第１の系統の伝送路を用いて伝送される。つまり、加入者宅２０から送信された上り電気信号は、同軸ケーブル伝送路により、分配器６０を介して双方向増幅器５０に送られ、電気信号レベルの増幅が行われて光ノード装置４０に送られる。光ノード装置４０は、受信した上り電気信号を電気／光信号変換器で上り光信号に変換し、該光信号を光ファイバー伝送路によりＣＡＴＶセンター局３０に送信する。
【００６３】
一方、第２の実施形態のＣＡＴＶシステム２００では、ＣＡＴＶセンター局３０から加入者宅２０に伝送される下り信号は第２の系統の伝送路を用いて伝送される。つまり、ＣＡＴＶセンター局３０から送信された下り光信号は、光ファイバー伝送路により、光スプリッタ７０を介して光信号のまま加入者宅２０に伝送される。
【００６４】
ＣＡＴＶセンター局３０は、放送波送信装置、データ送信装置、データ受信装置および電気／光変換装置と光／電気変換装置を含む構成となっている。
【００６５】
放送波送信装置は、周波数多重されたデジタルテレビ放送波を出力する。データ送信装置は、加入者宅内に設置されたＣＭ（ケーブルモデム）等への信号を送信する。データ受信装置は、加入者宅内に設置されたＣＭ等からの信号を受信する。
【００６６】
デジタルテレビ放送波および加入者宅内に設置されたＣＭ等への信号は、電気／光変換装置により光信号に変化され、下り信号として第２の系統の伝送路の光ファイバー伝送路を介して加入者宅２０に送信される。
【００６７】
加入者宅内に設置されたＣＭ等からの信号は、第１の系統の伝送路の光ファイバー伝送路を介して上り信号として入力し、光／電気変換装置により電気信号に変換されてからデータ受信装置で受信される。
【００６８】
加入者宅２０には、上りバイパス型光受信機１０を外部とのインターフェース装置として、分配器、ＳＴＢ、ＥＭＴＡおよびＣＭが宅内機器として設置されている。
【００６９】
上りバイパス型光受信機１０は第１の実施形態で説明した加入者光受信装置１に相当する機器である。「上りバイパス型光受信機」は、宅内機器から送信される上り信号を、光ファイバーではなく、同軸ケーブル伝送路にバイパスしてＣＡＴＶセンター局３０に送信するという意味から付けられた名称である。
【００７０】
ＳＴＢはデジタルテレビ放送用信号変換装置、ＥＭＴＡは電話用データ通信接続装置そしてＣＭはデータ通信接続装置で、テレビ受像機、電話機、パーソナルコンピュータ（ＰＣ）とそれぞれ接続する。
【００７１】
分配器は、上りバイパス型光受信機１０が出力する下り電気信号を分割して、ＳＴＢ、ＥＭＴＡ、ＣＭにそれぞれ入力する。また、分配器は、ＳＴＢ、ＥＭＴＡ、ＣＭがそれぞれ出力する上り信号を結合して上りバイパス型光受信機１０に出力する。
【００７２】
次に、上りバイパス型光受信機１０について説明する。
【００７３】
図４は、上りバイパス型光受信機の構成を示すブロック図である。
【００７４】
上りバイパス型光受信機１０は、加入者宅内に設置され、外部とのインターフェース装置として機能する。つまり、加入者宅２０とＣＡＴＶセンター局３０を接続する２系統の伝送路をそれぞれ収容する。そして、加入者宅内に設置された機器（ＳＴＢ、ＥＭＴＡ、ＣＭ）から送信される上り信号を第１の系統の伝送路に出力し、第２の系統の伝送路から受信した下り信号を加入者宅内に設置された機器（ＳＴＢ、ＥＭＴＡ、ＣＭ）に出力する。
【００７５】
上りバイパス型光受信機１０は、第１系統端子３２、第２系統端子３１、宅内機器端子３３、光／電気変換部３４および帯域フィルタ部３５を含む構成となっている。
【００７６】
第１系統端子３２は、第１の系統の伝送路である同軸ケーブルを接続する端子である。第２系統端子３１は、第２の系統の伝送路である光ファイバーを接続する端子である。宅内機器端子３３は、宅内設置機器の分配器と同軸ケーブルで接続する端子である。
【００７７】
光／電気変換部３４は、第２系統端子から入力する下り光信号を下り電気信号に変換する。
【００７８】
帯域フィルタ部３５は、上り電気信号の周波数帯域と下り電気信号の周波数帯域を分割し、分波および結合する。帯域フィルタ部３５は、具体的には、高周波数帯域を通過させ、低周波数帯域を遮断するハイパスフィルタ部、低周波数帯域を通過させ、高周波数数帯域を遮断するローパスフィルタ部および結合部で構成される。結合部は、ハイパスフィルタ出力部の信号とローパスフィルタ入力部の信号を結合する機能を有する。
【００７９】
上り電気信号は低周波数帯域に割り当てられ、下り信号は高周波数帯域に割り当てられている。したがって、下り信号をハイパスフィルタ部に入力して高周波数帯域の信号を取り出し、上り信号をローパスフィルタ部に入力して低周波数帯域の信号を取り出す。そして、ハイパスフィルタ部の出力の高周波数帯域の信号をローパスフィルタ部の入力の上り信号と結合する。
【００８０】
上りバイパス型光受信機１０は、次のように動作する。
【００８１】
ＣＡＴＶセンター局３０は、下り信号としてＣＡＴＶ帯（７０ＭＨｚ乃至７７０ＭＨｚ）の信号とＢＳ／ＣＳ-ＩＦ帯（１ＧＨｚ乃至２．６ＧＨｚ）のパススルー信号を重畳した光信号を第２の系統の伝送路に送出する。
【００８２】
なお、ＣＡＴＶ帯には、地上波デジタルテレビ放送信号を含むＳＴＢ、ＥＭＴＡ、ＣＭ向けのデータ信号が含まれている。
【００８３】
ＣＡＴＶセンター局３０から第２の系統の伝送路に送出された光信号は、幹線となる光ファイバー、光スプリッタおよび支線となる光ファイバーを経由して、加入者宅内に設置された上りバイパス型光受信機１０の第２系統端子３１から入力する。
【００８４】
入力した光信号は、光／電気変換部３４で電気信号に変換され、帯域フィルタ部３５に送られる。電気信号に変換された下り信号は、帯域フィルタ部３５で、ハイパスフィルタ部を通過した後に、上り信号と結合（周波数上分割された状態で結合）され、宅内機器端子３３から出力される。
【００８５】
上りバイパス型光受信機１０から出力された下り電気信号は、分配器で分割されて、テレビ受像機、電話機、パーソナルコンピュータとそれぞれ接続するＳＴＢ、ＥＭＴＡ、ＣＭに入力する。
【００８６】
一方、加入者宅内の設置機器であるＳＴＢ、ＥＭＴＡ、ＣＭからの上り電気信号（１０ＭＨｚ乃至５５ＭＨｚ）は、分配器で結合されて宅内機器端子３３から上りバイパス型光受信機１０に入力する。
【００８７】
入力した上り電気信号は、帯域フィルタ部３５で、ハイパスフィルタ部を通過した下り電気信号（７０ＭＨｚ乃至７７０ＭＨｚ、１ＧＨｚ乃至２．６ＧＨｚ）と結合（周波数上分割された状態で結合）される。その後、ローパスフィルタ部を通過して第１系統端子３２から出力される。
【００８８】
上りバイパス型光受信機１０から出力された上り電気信号は、第１の系統の伝送路の同軸ケーブル伝送路上の分配器６０で結合され、双方向増幅器５０で信号増幅されて、光ノード装置４０に出力される。光ノード装置４０では、入力した電気信号を電気／光変換して光ファイバー伝送路に出力する。光ファイバー伝送路に出力された光信号がＣＡＴＶセンター局３０に入力する。ＣＡＴＶセンター局３０では、入力した上り光信号を光／電気変換してデータ受信装置で受信する。
【００８９】
なお、上述した上りバイパス型光受信機１０の帯域フィルタ部３５として、下り帯域用の入力端子と上り帯域用の出力端子が分離されており、帯域外の信号が伝送されない機能を具備した帯域フィルタを用いている。しかし、本システムでは上り帯域と下り帯域が区分されているため、帯域を分離する機能が不要である。このため、帯域フィルタ部３５として、帯域を分離する機能を持たないカプラ（分岐器）を使用してもよい。つまり、カプラは、上述した帯域フィルタ部３５のハイパスフィルタ部とローパスフィルタ部がなく、結合部のみで構成されている。ただしカプラは通過損失が帯域フィルタよりも大きくなる。
【００９０】
上記のように構成した第２の実施形態では、ＨＦＣ方式によるＣＡＴＶシステムとＦＴＴＨシステムの２系統の伝送路で加入者宅とＣＡＴＶセンター局を接続する。そして、下り信号の伝送にのみＦＴＴＨシステムを使用する形態とした。
【００９１】
このことは、下り信号の伝送帯域をＣＡＴＶ帯の信号に加えてＢＳ／ＣＳ−ＩＦ帯の信号の伝送も可能なように拡張することができる。そのため、同軸ケーブルでは１ＧＨｚ以上の信号レベル減衰が大きくて課題となっていたＢＳ／ＣＳ−ＩＦ帯域周波数のパススルー伝送を可能とした。
【００９２】
また、上り信号に対してはＨＦＣ方式によるＣＡＴＶシステムを使用するので、複数の上り信号（電気信号）が同時に送信された場合でも、ＲＦｏＧ方式で課題となっていたＯＢＩの発生を回避できる。
【００９３】
加入者宅に設置する上りバイパス型光受信機は、光／電気変換の機能を備えるだけでよく、電気／光変換で使用するレーザーダイオードのような能動素子は使用しない。そのため、安価で上りバイパス型光受信機を提供することができる。
【００９４】
さらに、本実施形態のＣＡＴＶシステムにおいては、加入者単位で段階的にＦＴＴＨシステムの導入を可能とする。つまり、ＦＴＴＨシステムを希望する加入者毎に光ファイバーを敷設し、上りバイパス型光受信機を設置するだけでよい。そして、上りバイパス型光受信機に新設した光ファイバーと既存のＨＦＣ方式による同軸ケーブルを接続し、宅内設備としては既存の機器を上りバイパス型光受信機に接続すればよい。そして、加入者宅まで光ファイバーを敷設するＦＴＴＨシステムの導入が容易に行えることは、ＣＡＴＶ事業者にとっては「光」伝送をユーザにアピールすることができ、加入者獲得という効果に大きく寄与する。
【符号の説明】
【００９５】
１    加入者光受信装置
２、３０    ＣＡＴＶセンター局
３、４０    光ノード装置
４    設置機器
１０    上りバイパス型光受信機
１１    第１の光ファイバー伝送路
１２    第２の光ファイバー伝送路
１３    同軸ケーブル伝送路
２０    加入者宅
２１    光端子
２２    第１の同軸端子
２３    第２の同軸端子
２４    光／電気変換手段
２５    帯域フィルタ手段
３１    第２系統端子
３２    第１系統端子
３３    宅内機器端子
３４    光／電気変換部
３５    帯域フィルタ部
５０    双方向増幅器
６０    分配器
７０    光スプリッタ
１００、２００    ＣＡＴＶシステム
【図１】
2016025589.tif 000003
【図２】
2016025589.tif 000004
【図３】
2016025589.tif 000005
【図４】
2016025589.tif 000006
【図５】
2016025589.tif 000007
【図６】
2016025589.tif 000008
【図７】
2016025589.tif 000009
【図８】
2016025589.tif 000010